(57)【要約】【課題】簡単な構成で、しかも安価で、文字や図形をカラー表示して装飾性を向上できると共に視認性を高めることができる表示装置及びこの表示装置を搭載した電子時計を提供すること。【解決手段】グラデーション印刷が形成された表示部材と、この表示部材の上側に配置され、透過、遮蔽可能な複数のドット表示部を有する電気光学的表示装置とを有し、この電気光学的表示装置の複数のドット表示部を選択的に駆動して、文字、図形等をグラデーション表示させることにより、簡単な構成、かつ低価格で、カラー表示を行うことができ、表示文字や図形の色彩性や装飾性を向上させることができる。【選択図】  図２
2004212427.tif 000002
【特許請求の範囲】
【請求項１】
一方の側から他方の側に向って第１の色から第２の色に徐々に色が変化するグラデーション印刷が形成された表示部材と、
この表示部材の上側に配置され、透過、遮蔽可能な複数のドット表示部を有する電気光学的表示装置と、
この電気光学的表示装置の複数のドット表示部を選択的に駆動して、文字、図形等をグラデーション表示させる駆動制御手段と、
を備えることを特徴とする表示装置。
【請求項２】
一方の側から他方の側に向って第１の色から第２の色に徐々に色が変化するグラデーション印刷が形成された表示部材と、
この表示部材の上側に配置され、透過、遮蔽可能な複数のドット表示部を有する電気光学的表示装置と、
時刻情報を得る時刻情報計時手段と、
この時刻情報計時手段で得られた時刻情報が第１の範囲内にある場合に、前記表示部材のグラデーション印刷の第１の範囲に対応するドット表示部を駆動して文字、図形等をグラデーション表示し、前記時刻情報計時手段で得られた時刻情報が第１の範囲とは異なる第２の時間範囲内にある場合に、第１の範囲とは少なくとも一部が異なる第２の範囲に対応するドットを駆動して文字、図形等をグラデーション表示させる駆動制御手段と、
を備えることを特徴とする表示装置を備えた電子時計。
【請求項３】
前記駆動制御手段は、前記光学的表示装置の複数のドットを選択的に駆動して動画をグラデーション表示させることを特徴とする請求項１に記載の表示装置。
【発明の詳細な説明】
【０００１】
【発明の属する技術分野】
本発明は、文字、図形等をグラデーション表示する表示装置及び電子時計に関する。
【０００２】
【従来の技術】
従来より、電子腕時計では、装飾性、視認性を高めるために、ドットマトリックス表示装置用いて、文字や図形等を動きがあるように表示させることが考えられている。
【０００３】
【特許文献１】
特開平８-２２０２６３号公報
【特許文献２】
特開昭５７-１０１７８８号公報
【０００４】
【発明が解決しようとする課題】
しかし、従来の電子腕時計では、白黒液晶表示装置を用いて、文字、図形等を表示させているために、デザインの変化が単調で、装飾性に欠けているばかりか、視認性が悪かった。カラー液晶表示装置を用いて文字、図形等をカラー表示すれば、装飾性、視認性を高めることができるが、カラー液晶表示装置は高価であり、これでは電子腕時計のコストが高くなるばかりか、消費電流が大きくなるという問題がある。
【０００５】
本発明は、上述の如き従来の課題を解決するためになされたもので、その目的は、簡単な構成で、しかも安価で、文字や図形をカラー表示して装飾性を向上できると共に視認性を高めることができる表示装置及びこの表示装置を搭載した電子時計を提供することである。
【０００６】
【課題を解決するための手段】
この発明の手段は以下の通りである。
【０００７】
請求項１の発明の表示装置は、一方の側から他方の側に向って第１の色から第２の色に徐々に色が変化するグラデーション印刷が形成された表示部材と、この表示部材の上側に配置され、透過、遮蔽可能な複数のドット表示部を有する電気光学的表示装置と、この電気光学的表示装置の複数のドット表示部を選択的に駆動して、文字、図形等をグラデーション表示させる駆動制御手段とを備えることを特徴とする。
【０００８】
上記発明によれば、明るい所で外部光が電気光学的表示装置のドット表示部に照射されると、その外部光がドット表示部を透過して表示部材のグラデーション印刷に照射され、この照射された外部光が表示部材のグラデーション印刷で反射され、このカラー化された多色光が再びドット表示部に照射されて透過するので、駆動制御手段によりドット表示部に表示された文字、図形等をグラデーション表現することができる。
【０００９】
請求項２の発明の電子時計は、一方の側から他方の側に向って第１の色から第２の色に徐々に色が変化するグラデーション印刷が形成された表示部材と、この表示部材の上側に配置され、透過、遮蔽可能な複数のドット表示部を有する電気光学的表示装置と、時刻情報を得る時刻情報計時手段と、この時刻情報計時手段で得られた時刻情報が第１の範囲内にある場合に、前記表示部材のグラデーション印刷の第１の範囲に対応するドット表示部を駆動して文字、図形等をグラデーション表示し、前記時刻情報計時手段で得られた時刻情報が第１の範囲とは異なる第２の時間範囲内にある場合に、第１の範囲とは少なくとも一部が異なる第２の範囲に対応するドットを駆動して文字、図形等をグラデーション表示させる駆動制御手段とを備えることを特徴とする表示装置を備えている。
【００１０】
上記発明によれば、電子時計の時刻情報の範囲によって、表示装置のドット表示部に文字、図形等の位置を少なくともその一部が異なるように表示するため、表示位置のずれによって文字、図形のグラデーションが異なり、このグラデーションが異なることから時刻情報の範囲、例えば昼であるのか、夜であるのかを表すことができる。
【００１１】
【発明の実施の形態】
以下、本発明の実施の形態を図面に基づいて説明する。図１は、本発明の一実施の形態に係る電子時計（以降、電子腕時計と称する）の外観平面図である。円形の時計ケース１に時計ガラス２が装着され、この時計ガラス２の下方には、液晶表示装置３が配置されると共に、液晶表示装置３の外周には正時を示す目盛が印刷されたリング状の見切板４が配置され、更に、液晶表示装置３の中心に回転可能に軸支された分針５と時針６が配置されている。また、時計ケース１の外周面に液晶表示装置３を内部から照明するＥＬ（エレクトロルミネッセンス）素子７（図３参照）をオンオフするライトキー８、電子時計の動作モードを切り替えるモード切替キー９及びワールドタイム表示モードで都市を切替える都市切替キー１０が設けられている。
【００１２】
図２は上記した液晶表示装置３の詳細を示した平面図である。液晶表示装置３の中央部にはグラデーション表示部３ａが設けられ、下部にはデータ表示部３ｂが設けられている。
【００１３】
液晶表示装置３の中心には指針軸貫通孔３ｃが形成されている。グラデーション表示部３ａには複数のドット表示体が９×８のマトリックス状に配列され、中心の１個が指針軸貫通孔のために欠如している。複数のドット表示体は、上端側及び下端側が最も小さく、中央が大きい形状となっている。また、指針軸貫通孔３ｃ周囲の４個のドット表示体は、一部が切欠かれた形状となっている。
【００１４】
図３は上記した電子腕時計の要部を示した拡大断面図で、図４はその表示装置の要部を更に拡大した断面図である。この電子腕時計は、図３に示すように、時計ケース１の内部には、時計モジュール１１が収納されている。また、この時計ケース１の下部には、裏蓋１２が防水リング１３を介して取り付けられている。
【００１５】
時計モジュール１１は、アナログ機能とデジタル機能を備えたものであり、図３に示すように、合成樹脂製の上部ハウジング１４と合成樹脂製の下部ハウジング１５とを備え、上部ハウジング１４内に液晶表示装置３、多色表示部材１６、ＥＬ素子７が積層されて収納され、下部ハウジング１５内にアナログムーブメント１７が収納され、上部ハウジング１４と下部ハウジング１５との間に液晶表示装置３を駆動するための電子回路を搭載した回路基板１８が配置され、この回路基板１８に液晶表示装置３とアナログムーブメント１７とが電気的に接続された構造になっている。また、アナログムーブメント１７の上面から突出されている指針軸１７ａが液晶表示装置３の指針軸貫通孔３ｃを介して液晶表示装置３の上側に取り出され、先端に分針５及び時針６が取付けられている。
【００１６】
図３及び図４に示すように、液晶表示装置３、多色表示部材１６、ＥＬ素子７は、積層されている。液晶表示装置３は、ネガティブタイプのものであり、図３及び図４に示すように、上下一対の透明な電極基板２１、２２間に液晶（図示せず）を封入し、上側の電極基板２１の上面及び下側の電極基板２２の下面にそれぞれ偏光板２３、２４をその各透過軸または各吸収軸が互いにほぼ平行になるように設け、この状態で一対の電極基板２１、２２間に選択的に電圧を印加すると、その電圧が印加された部分の電極基板２１、２２、及びこの部分に対応する個所の上下の各偏光板２３、２４を光が透過可能な状態となり、この光透過可能な部分を光が透過することにより、時刻等の情報を電気光学的に表示するように構成されている。
【００１７】
すなわち、この液晶表示装置３は、一対の電極基板２１、２２間に電圧が印加されないときには、一対の電極基板２１、２２間の液晶分子が一定のツイスト配向を保つので、上下の偏光板２３、２４の一方（例えば上側の偏光板１６）を透過した光が電極基板２１、２２間の液晶分子のツイスト配向によって旋光され、この旋光された光が上下の偏光板２３、２４の他方（例えば下側の偏光板１７）で遮断される。また、この液晶表示装置３は、一対の電極基板２１、２２間に選択的に電圧が印加されると、その電圧が印加された部分の一対の電極基板２１、２２間の液晶分子のツイスト配向が変化するので、上下の偏光板２３、２４の一方（例えば上側の偏光板１６）を透過した光が電極基板２１、２２間の液晶分子によって旋光されずに、上下の偏光板２３、２４の他方（例えば下側の偏光板１）を透過する。
【００１８】
これにより、液晶表示装置３は、光が透過する部分と、光が透過しない部分とによって、時刻等の情報を表示する。この場合、上下一対の電極基板２１、２２のうち、上側の電極基板２１には、セグメント電極が設けられており、下側の電極基板２２には、コモン電極がセグメント電極に対応して設けられている。これらセグメント電極及びコモン電極は、図示しないが、上側の電極基板２１の端部下面に接続配線によって導かれて接続用の電極端子部と電気的に接続されている。また、この液晶表示装置３は、図３に示すように、上側の電極基板２１の端部に設けられた前記接続用の電極端子部がインターコネクタ２５によって回路基板１８上に支持された状態で回路基板１８と電気的に接続されている。
【００１９】
一方、多色表示部材１６は、図４に示すように、半透過反射性を有する白色系のフイルム２６と、この白色系のフィルム２６における液晶表示装置３と対応する上面全体に設けられた光透過性を有する膜状の多色インク部２７とを備え、液晶表示装置３の下面に対応した状態で、後述するＥＬ素子７の上面に設けられている。この場合、白色系のフィルム２６は、照射された光のうち、一部の光を白色系の光として透過し、他の一部の光を白色系の光として反射するように構成されている。また、多色インク部２７は、図４に示すように、光透過性を有するインクを白色系のフィルム２６の上面全域に印刷や塗布によって形成されている。多色インク部２７のグラデーション表示部３ａの下側に位置する部分は、１２時側が青色、６時側が赤色、中央部が紫色に形成され、１２時側から中央部にかけて青から紫に徐々に変化するように形成され、そして、中央部から６時側にかけて紫から赤に徐々に変化するように形成されている。即ち、多色インク部２７のグラデーション表示部３ａの下側に位置する部分は、１２時６時方向はグラデーションになっていて、３時６時方向は同じ色になっている。また、多色インク部２７のデータ表示部３ｂの下側に位置する部分は、白色に形成されている。
【００２０】
ＥＬ素子７は、平面型の発光素子であり、図４に示すように、液晶表示装置３の下面に対応した状態で、上部ハウジング１４上に配置されている。このＥＬ素子７は、下部側の電極基板（カソード電極基板）上にＥＬ層を介して透明な電極基板（アノ一ド電極基板）を設け、上下の電極基板間に電圧を印加してＥＬ層を発光させることにより、可視光線領域の光を透明な電極基板の上面全体からほぽ均一に面発光させるように構成されている。この場合、下部側の電極基板は、ＥＬ層で発光した光を反射するために、電極が金属で形成されているか、あるいは下側の電極基板の下面に反射層を設けた構成になっている。
【００２１】
このような電子腕時計によれば、液晶表示装置３の上下一対の電極基板２１、２２間に選択的に電圧を印加すると、その電圧が印加された部分の液晶分子のツイスト配向が変化し、この液晶分子のツイスト配向が変化した部分、及びこの部分に対応する個所の上下の偏光板２３、２４を光が透過可能な状態となることにより、上下の偏光板２３、２４の一方から入射した光が一対の電極基板２１、２２及び液晶を透過して上下の偏光板２３、２４の他方から出射し、これにより時刻等の情報を表示することができる。この場合、明るい所では、外部光が時計ガラス２を通して時計ケース１内に取り込まれ、この取り込まれた外部光で液晶表示装置３が照明されるので、液晶表示装置３に表示された時刻等の情報を見ることができる。
【００２２】
すなわち、時計ケース１内に入射した外部光は、一対の電極基板２１、２２間に電圧が印加された部分に対応する光透過可能な個所において、液晶表示装置３の上側の偏光板２３、上下の各電極基板２１、２２、及び下側の偏光板２４を透過して半透過反射型の多色表示部材１６に上面側から照射される。この照射された外部光は、多色表示部材１６の光透過性を有する多色インク部２７で色に応じた波長の光が適宜選択されることによりカラー化され、その一部が反射され、他の一部が多色インク部２７を透過して白色系のフィルム２６で反射され、この反射された光が多色インク部２７を再び透過する。これにより、カラー化された多色光が液晶表示装置３に照射されてその下側から上側に向けて透過するので、液晶表示装置３に表示された情報がグラデーション表示され、このグラデーション表示された情報を時計ケース１の外部から時計ガラス２を通して見ることができる。
【００２３】
図５は図１に示した電子腕時計の制御系の構成を示したブロック図である。制御系は、電子腕時計の表示制御等の個別制御及び全体の制御を行うＣＰＵ等により構成される制御部４１、制御部４１を動作させるためのプログラムやデータを格納したＲＯＭ４２、制御部４１が動作するために必要なデータを保持するＲＡＭ４３、表示、キャラクタパターンデータを記憶しているパターンＲＯＭ４４、各種データの入力操作を行うキーを備えたキー入力部４５、文字や図形等を表示する液晶表示装置４６、液晶表示装置４６を駆動する表示ドライバ４７、例えばピープ音により報音を行う報音部４８、所定周波数で発信する発信回路４９、発信回路４９の発信出力を分周して1Ｈｚ、４Ｈｚ、８Ｈｚ等の信号を発生して制御部４１供給する分周・タイミング回路５０、分針５と時針６とからなる指針を動かすアナログ部５１を有している。
【００２４】
次に本実施の形態の動作について図６のフローチャートを参照してを説明する。電子腕時計が待機状態の時、制御部４１はステップＳ１にて分周・タイミング回路５０から１Ｈｚの信号入力があるかどうかを判断し、ある場合はステップＳ２に進み、ない場合はステップＳ４に進む。
【００２５】
ステップＳ２では、１Ｈｚの信号をＲＡＭ４３に記憶しておいた時刻情報に１秒加算して現在時刻情報を更新すると共に、２０秒毎にアナログ部に駆動信号を供給し分針５を１ステップ駆動する。分針５は２０秒毎に１ステップ駆動され、分針５と歯車を介して接続されている時針６は、分針５の回転に連動して回転する。
【００２６】
ステップＳ３では、ＲＡＭ４３に設定されている基本時計表示モード、アラーム表示モード、住所録表示モード及びワールドタイム表示モードに従ったモード処理を実行して、ステップＳ１に戻る。
【００２７】
一方、ステップＳ４に進んだ場合、キー入力部４５からキー入力があるかどうかを判断し、ない場合はステップＳ１に戻り、ある場合はステップＳ５にて入力キーに対応したキー処理を行って、ステップＳ１に戻る。
【００２８】
図７は上記した図６のステップＳ５のキー処理の詳細手順を示したフローチャートである。制御部４１はステップＳ１１でモード切替キー９の入力かどうかを判断し、そうである場合はステップＳ１２に進んでモード切替処理を行い、モード切替キー９の入力でない場合は図８に示したステップＳ２７の処理に進む。
【００２９】
モード切替処理では、まず、ステップＳ１３で基本時計表示モードであるかどうかを判断し、そうである場合はステップＳ１４で曜日表示をデータ表示部に行って、ステップＳ１１の処理に戻る。
【００３０】
ステップＳ１３で基本時計表示モードでない場合はステップＳ１５に進んで、ワールドタイム（ＷＴ）表示モードであるかどうかを判断し、そうである場合はステップＳ１６に進んで、グラデーション表示部に世界地図の動画を一定時間表示すると同時にデータ表示部４６に都市切替キー１０によって選択されている都市名を一定時間表示する。
【００３１】
図９は世界地図を動画表示した例であり、世界地図の画面０〜９が８Ｈｚの信号に同期して順次切替表示されて世界地図が回転しているように動画表示される。この世界地図の表示パターンはパターンＲＯＭ４４から表示ドライバ５２に供給されて、液晶表示装置３のグラデーション表示部３ａに順次表示される。
【００３２】
一定時間経過すると、ステップＳ１８に進み、グラデーション表示部４６で選択されている都市のグリニッジ標準時からの時差を表示し、ステップＳ１９でデータ表示部４６で選択されている都市の現在時刻が表示されて、ステップＳ１１の処理に戻る。
【００３３】
ステップＳ１５でワールドタイム表示モードでない場合はステップＳ２０に進んで、アラーム（ＡＬ）表示モードかどうかが判断される。アラーム表示モードである場合、ステップＳ２１に進んで、液晶表示装置３のグラデーション表示部３ａに図１０に示すようにベルの図柄を４Ｈｚの信号に同期して切替表示しすることによりベルが揺れているような動画を表示し、ステップＳ２２でＲＡＭ４３に設定されているアラーム時刻を読み出してデータ表示部３ｂに表示した後、ステップＳ１１の処理に戻る。
【００３４】
ステップＳ２０でアラーム表示モードでない場合はステップＳ２３に進んで、住所録表示モードかどうかが判断され、住所録表示モードである場合はステップＳ２４に進んで、表示装置８に電話の図柄を表示し、ステップＳ２５でＲＡＭ４３に登録してある氏名、住所、電話番号を表示装置４６に表示した後、ステップＳ１１の処理に戻る。ステップＳ２３で住所録表示モードでない場合はステップＳ２６に進んで、他のモード処理を行った後、ステップＳ１１の処理に戻る。
【００３５】
図８はワールドタイム表示モード時の時差表示処理手順を示したフローチャートである。図７のステップＳ１１でモード切替キー９でないと判断された場合、図８のステップＳ２７に進んで、入力キーが都市切替キー１０であるかどうかを判断し、そうでない場合は他の切替キーであるかどうかの判断に進み、都市切替キーである場合はステップＳ２８に進む。
【００３６】
ステップＳ２８では、ワールドタイム表示モードであるかどうかを判断し、ワールドタイム表示モードでない場合はステップ３９の他のキー処理に進み、ワールドタイム表示モードである場合はステップＳ２９に進んで、都市データを変更し、ステップＳ３０でデータ表示部３ｂに変更後の都市名を表示し、ステップＳ３１で変更後の都市の現在時刻を判別すると共に、グリニッジ標準時からの時差を算出する。
【００３７】
現在時刻の判別結果が９時から１６時（昼間）であった場合、ステップＳ３２でグラデーション表示部３ａの4行目から８行目に図１１（ａ）に示すように時差（＋５）を表示し、現在時刻が１６時から２０時（夕方から夜）であった場合、ステップＳ３３でグラデーション表示部３ａの２行目から６行目に図１１（ｂ）に示すように時差（＋５）を表示し、現在時刻が２０時から４時（夜）であった場合、ステップＳ３４でグラデーション表示部３ａの１行目から５行目に図１１（ｃ）に示すように時差（＋５）を表示し、現在時刻が４時から９時（朝）であった場合、ステップＳ３５でグラデーション表示部３ａの３行目から７行目に図１１（ｄ）に示すように時差（＋５）を表示した後、ステップＳ３６に進み、都市データを変更してからステップＳ２７の処理に戻る。
【００３８】
ここで、図１１に示した表示装置８に表示された時差について説明する。図１１（ａ）にて、時差はグラデーション表示部３ａの画面の最下方に偏って表示され、しかもこの時差の数字表示部分は赤色から紫系統の色彩で、＋部分が赤の色彩でグラデーション表示される。図１１（ｂ）にて、時差はグラデーション表示部３ａの画面の上方に偏って表示され、しかもこの時差の数字表示部分は紫色から青色系統の色彩で、＋部分が青みがかった紫の色彩でグラデーション表示される。図１１（ｃ）にて、時差はグラデーション表示部３ａの画面の最上方に偏って表示され、しかもこの時差の数字表示部分は青から紫系統の色彩で、＋部分が青の色彩でグラデーション表示される。図１１（ｄ）にて、時差はグラデーション表示部３ａの画面の下方に偏って表示され、しかもこの時差の数字表示部分は紫色から赤色系統系統の色彩で、＋部分が赤みがかった紫の色彩でグラデーション表示される。
【００３９】
本実施形態によれば、世界地図の表示やアラームモードの表示が腕時計の表示面３０の大部分を占める領域に形成された表示装置８に表示されるため、表示が大きく遠くからでも表示内容を識別することができる。特に、ワールドタイム表示モードの時差等は表示位置とその色合いで、時差を知りたい都市の時刻が昼なのか、夜なのかが直ぐに分かり識別性と表示デザイン性を著しく向上させることができる。しかも、表示装置８はカラー液晶表示装置に比べて安価に製造できるため、上記効果を電子腕時計のコストを上昇させずに得ることができる。
【００４０】
尚、本発明は上記実施の形態に限定されることなく、その要旨を逸脱しない範囲において、具体的な構成、機能、作用、効果において、他の種々の形態によっても実施することができる。例えば、上記実施例では、時刻によって時差の色を変化させたが、時刻によって絵、アニメーションを変化させて良い。また、電子時計以外の電子機器にも本発明で用いた表示装置を搭載して、文字や図形のグラデーション表示を安価に行うことができ、装置の色彩性や装飾性を向上させることができる。
【００４１】
【発明の効果】
以上詳細に説明したように、請求項１に記載の発明によれば、一方の側から他方の側に向って第１の色から第２の色に徐々に色が変化するグラデーション印刷が形成された表示部材と、この表示部材の上側に配置され、透過、遮蔽可能な複数のドット表示部を有する電気光学的表示装置と、この電気光学的表示装置の複数のドット表示部を選択的に駆動して、文字、図形等をグラデーション表示させる駆動制御手段とにより構成された表示装置により、カラー液晶表示装置よりも低価格でカラードットマトリクス表示を行うことができ。表示文字や図形の色彩性や装飾性を向上させることができる。
請求項２に記載の発明によれば、電子時計の時刻情報の範囲によって、表示装置に文字、図形等の位置を少なくともその一部が異なるように表示して、表示文字や図形のグラデーションを異ならせることにより、その色彩の違いにより前記時刻情報の範囲（おおよその時刻等）を表わすことができる。また、表示装置を電子時計の表示面の大部分を占める領域に配置することにより、文字や図形のサイズを大きく表示することができ、その識別性を著しく向上させることができると共に時計としての色彩性や装飾性を向上させることができる。
【図面の簡単な説明】
【図１】本発明の一実施の形態に係る電子時計の外観平面図である。
【図２】図１に示した液晶表示装置の詳細を示した平面図である。
【図３】図１に示した電子時計の要部を示した断面図である。
【図４】図３に示した断面図の一部を拡大した断面図である。
【図５】図１に示した電子時計の制御系の構成を示したブロック図である。
【図６】図１に示した電子時計の概略動作手順を示したフローチャートである。
【図７】図１に示した電子時計のキー処理手順を示したフローチャートである。
【図８】図１に示した電子時計のワールドタイム表示モードにおける各都市の時刻を表示する処理手順を示したフローチャートである。
【図９】図２に示した液晶表示装置に世界地図を表示した例を示した図である。
【図１０】図２に示した液晶表示装置にベルの図柄を表示した例を示した図である。
【図１１】図２に示した液晶表示装置に時差を表示した例を示した図である。
【符号の説明】
１  時計ケース
２  時計ガラス
４  見切板
３  液晶表示装置
５  分針
６  時針
７  ＥＬ素子
８  ライトキー
９  モード切替キー
１０  都市切替キー
１１  時計モジュール
１４  上部ハウジング
１５  下部ハウジング
１７  アナログムーブメント
１８  回路基板
１６  多色表示部材
２１、２２  電極基板
２３、２４  偏向板
２５  インターコネクタ
２６  白色系のフィルム
２７  多色インク部
４１  制御部
４２  ＲＯＭ
４３  ＲＡＭ
４４  パターンＲＯＭ
４５  キー入力部
４７  表示ドライバ
４９  発振回路
５０  分周・タイミング回路
５１  アナログ部
【図１】
2004212427.tif 000003
【図２】
2004212427.tif 000004
【図３】
2004212427.tif 000005
【図４】
2004212427.tif 000006
【図５】
2004212427.tif 000007
【図６】
2004212427.tif 000008
【図７】
2004212427.tif 000009
【図８】
2004212427.tif 000010
【図９】
2004212427.tif 000011
【図１０】
2004212427.tif 000012
【図１１】
2004212427.tif 000013